(57)【要約】【課題】用紙をスムーズに搬送しながら、装置の小型化を図ることが可能な用紙搬送装置を提供する。【解決手段】このプリンタ部（用紙搬送装置）１００は、用紙Ｓを挟持するように配置され、挟持した用紙Ｓを所定の搬送方向に搬送するための搬送ローラ対３および４と、搬送ローラ対３および４の近傍において互いに離間するように配置され、用紙Ｓを搬送方向に沿ってガイドするためのガイド部材８および９とを備える。ガイド部材８は、搬送ローラ対３の接線ｌ１を横切るように配置されているとともに、ガイド部材９は、搬送ローラ対の接線ｌ２を横切るように配置されている。【選択図】図２
2014201369.tif 000002
【特許請求の範囲】
【請求項１】
用紙を挟持するように配置され、挟持した用紙を所定の搬送方向に搬送するための上流側ローラ対および下流側ローラ対と、
前記上流側ローラ対および前記下流側ローラ対の近傍において互いに離間するように配置され、前記用紙を前記搬送方向に沿ってガイドするための上流側ガイド部材および下流側ガイド部材とを備え、
前記搬送方向に沿って延びる前記上流側ローラ対の接線を横切るように前記上流側ガイド部材が配置された構造と、前記搬送方向に沿って延びる前記下流側ローラ対の接線を横切るように前記下流側ガイド部材が配置された構造との少なくとも一方を含むように、前記上流側ローラ対および前記下流側ローラ対に対する前記上流側ガイド部材および前記下流側ガイド部材の配置位置が設定されている、用紙搬送装置。
【請求項２】
少なくとも前記搬送方向に沿って延びる前記上流側ローラ対の接線を横切るように前記上流側ガイド部材が配置された構造であり、少なくとも前記上流側ガイド部材が前記上流側ローラ対の近傍において前記搬送方向に交差する方向に延びるように配置されている、請求項１に記載の用紙搬送装置。
【請求項３】
前記上流側ガイド部材は、前記上流側ローラ対に対して下流側で、かつ、前記搬送方向に対して外側に配置されているとともに、前記下流側ガイド部材は、前記下流側ローラ対に対して上流側で、かつ、前記搬送方向に対して外側に配置されており、
前記下流側ガイド部材の上流側の端部近傍は、前記上流側ガイド部材の下流側の端部近傍よりも前記搬送方向に対して外側に配置されている、請求項１または２に記載の用紙搬送装置。
【請求項４】
前記上流側ガイド部材の下流側の端部近傍と、前記下流側ガイド部材の上流側の端部近傍とは、互いにオーバーラップしないように離間して配置されている、請求項３に記載の用紙搬送装置。
【請求項５】
前記上流側ガイド部材の下流側の端部近傍と、前記下流側ガイド部材の上流側の端部近傍とは、互いにオーバーラップしないように、互いに近傍の位置で離間して配置されている、請求項４に記載の用紙搬送装置。
【請求項６】
前記上流側ガイド部材の下流側の端部近傍の前記下流側ガイド部材側の表面には、前記下流側ガイド部材の上流側の端部近傍から離れるように傾斜する第１傾斜面が形成されているとともに、
前記下流側ガイド部材の上流側の端部近傍の前記上流側ガイド部材側の表面には、前記上流側ガイド部材の下流側の端部近傍から離れるように傾斜する第２傾斜面が形成されている、請求項３〜５のいずれか１項に記載の用紙搬送装置。
【請求項７】
前記用紙に画像を印刷するための印刷部をさらに備え、
前記下流側ローラ対は、前記用紙の前記画像が印刷された側とは反対側の面に接触するように配置され、前記用紙を排出する方向に回転可能な排出ローラと、前記用紙の前記画像が印刷された側の面に接触するように配置され、前記排出ローラに伴って回転する従動ローラとを含み、
前記従動ローラは、前記用紙に対して直交するように配置され、凹凸形状の外周部を有する薄肉状の円板部材を含むように構成されている、請求項１〜６のいずれか１項に記載の用紙搬送装置。
【発明の詳細な説明】
【技術分野】
【０００１】
この発明は、用紙搬送装置に関し、特に、用紙を搬送するための上流側ローラ対および下流側ローラ対を備えた用紙搬送装置に関する。
【背景技術】
【０００２】
従来、用紙を搬送するための上流側ローラ対および下流側ローラ対を備えた用紙搬送装置が知られている（たとえば、特許文献１参照）。
【０００３】
上記特許文献１には、シート材（用紙）を挟持して搬送するためのローラ対からなるシート材搬送部を備えたシート材搬送装置（用紙搬送装置）が開示されている。このシート材搬送装置では、シート材搬送部がシート材の搬送方向の上流側と下流側とに１つずつ設けられている。これらの上流側および下流側のシート材搬送部は、上流側のシート材搬送部を構成するローラ対の接線と、下流側のシート材搬送部を構成するローラ対の接線とが互いに交差するように配置されている。これにより、シート材の搬送経路は、上流側のシート材搬送部と下流側のシート材搬送部との間で折れ曲がるように構成されている。ここで、上流側のシート材搬送部と下流側のシート材搬送部との間には、シート材を搬送方向に沿ってガイドするための上ガイドおよび下流ガイド部が設けられている。これらの上ガイドおよび下流ガイド部は、それぞれ、上流側および下流側のシート材搬送部を構成するローラ対の接線に対して平行に直線状に延びるように形成されており、上ガイドの下流側の端部近傍と、下流ガイド部の上流側の端部近傍とは、互いに接触した状態で固着されている。
【先行技術文献】
【特許文献】
【０００４】
【特許文献１】特許第３４５３５０８号公報
【発明の概要】
【発明が解決しようとする課題】
【０００５】
ここで、上記特許文献１に開示されたような従来の用紙搬送装置では、用紙を曲面に沿ってスムーズに搬送しながら、用紙の搬送経路を折り返すことにより装置の小型化を図るために、用紙の搬送経路を曲面状に湾曲させる場合がある。しかしながら、上記特許文献１に開示された構成では、上ガイドおよび下流ガイド部がそれぞれ上流側および下流側のローラ対の接線に対して平行に直線状に延びるように形成されているとともに、直線状の上ガイドの下流側の端部近傍と、直線状の下流ガイド部の上流側の端部近傍とが互いに接触した状態で固着されているため、用紙の搬送経路を曲面状に湾曲させるのが困難であり、その結果、用紙をスムーズに搬送しながら、装置の小型化を図るのが困難であるという問題点があると考えられる。
【０００６】
この発明は、上記のような課題を解決するためになされたものであり、この発明の１つの目的は、用紙をスムーズに搬送しながら、装置の小型化を図ることが可能な用紙搬送装置を提供することである。
【課題を解決するための手段】
【０００７】
上記目的を達成するために、この発明の一の局面による用紙搬送装置は、用紙を挟持するように配置され、挟持した用紙を所定の搬送方向に搬送するための上流側ローラ対および下流側ローラ対と、上流側ローラ対および下流側ローラ対の近傍において互いに離間するように配置され、用紙を搬送方向に沿ってガイドするための上流側ガイド部材および下流側ガイド部材とを備え、搬送方向に沿って延びる上流側ローラ対の接線を横切るように上流側ガイド部材が配置された構造と、搬送方向に沿って延びる下流側ローラ対の接線を横切るように下流側ガイド部材が配置された構造との少なくとも一方を含むように、上流側ローラ対および下流側ローラ対に対する上流側ガイド部材および下流側ガイド部材の配置位置が設定されている。
【０００８】
この発明の一の局面による用紙搬送装置では、上記のように構成することによって、上流側ローラ対の接線を横切るように配置された上流側ガイド部材と、下流側ローラ対の接線を横切るように配置された下流側ガイド部材との少なくとも一方によって、容易に、用紙の搬送経路を曲面状（曲線状）に湾曲させることができる。これにより、用紙の搬送経路が複数の直線状に延びる搬送経路により構成される場合と異なり、曲面状の搬送経路に沿ってスムーズに用紙を搬送しながら、用紙の搬送経路を折り返すことにより装置の小型化を図ることができる。また、上流側ガイド部材と下流側ガイド部材とを互いに離間するように配置することによって、上流側ガイド部材の下流側の端部近傍と、下流側ガイド部材の上流側の端部近傍とが互いに接触する場合と異なり、上流側ガイド部材の下流側の端部および下流側ガイド部材の上流側の端部を、それぞれ、下流側ガイド部材および上流側ガイド部材と接触する位置まで長く延ばす必要がないので、上流側ガイド部材および下流側ガイド部材のそれぞれの長さを短くすることができ、これによっても、装置の小型化を図ることができる。
【０００９】
上記一の局面による用紙搬送装置において、好ましくは、少なくとも搬送方向に沿って延びる上流側ローラ対の接線を横切るように上流側ガイド部材が配置された構造であり、少なくとも上流側ガイド部材が上流側ローラ対の近傍において搬送方向に交差する方向に延びるように配置されている。このように構成すれば、少なくとも上流側ガイド部材は、上流側ローラ対の接線を横切るように配置されるので、この上流側ガイド部材によって、用紙の搬送経路を容易にかつ確実に曲面状に湾曲させることができる。これにより、用紙をスムーズに搬送しながら、装置の小型化を容易にかつ確実に図ることができる。
【００１０】
上記一の局面による用紙搬送装置において、好ましくは、上流側ガイド部材は、上流側ローラ対に対して下流側で、かつ、搬送方向に対して外側に配置されているとともに、下流側ガイド部材は、下流側ローラ対に対して上流側で、かつ、搬送方向に対して外側に配置されており、下流側ガイド部材の上流側の端部近傍は、上流側ガイド部材の下流側の端部近傍よりも搬送方向に対して外側に配置されている。このように構成すれば、下流側ガイド部材の上流側の端部近傍が上流側ガイド部材の下流側の端部近傍よりも搬送方向に対して内側に配置されている場合と異なり、上流側ガイド部材から下流側に搬送された用紙の先端部が下流側ガイド部材の上流側の端部近傍と接触することに起因して、用紙が本来の搬送方向から逸れた方向に進むのを抑制することができる。これにより、用紙の搬送経路を曲面状に湾曲させた場合でも、紙詰まりが発生するのを抑制することができる。
【００１１】
この場合、好ましくは、上流側ガイド部材の下流側の端部近傍と、下流側ガイド部材の上流側の端部近傍とは、互いにオーバーラップしないように離間して配置されている。このように構成すれば、確実に、下流側ガイド部材の上流側の端部近傍を上流側ガイド部材の下流側の端部近傍よりも搬送方向に対して外側に配置することができるので、用紙の搬送経路を曲面状に湾曲させた場合でも、上流側ガイド部材から下流側に搬送された用紙の先端部が下流側ガイド部材の上流側の端部近傍と接触することに起因して紙詰まりが発生するのを確実に抑制することができる。
【００１２】
上記上流側ガイド部材の下流側の端部近傍と下流側ガイド部材の上流側の端部近傍とが互いにオーバーラップしないように配置された用紙搬送装置において、好ましくは、上流側ガイド部材の下流側の端部近傍と、下流側ガイド部材の上流側の端部近傍とは、互いにオーバーラップしないように、互いに近傍の位置で離間して配置されている。このように構成すれば、上流側ガイド部材の下流側の端部近傍と、下流側ガイド部材の上流側の端部近傍とが大きく離間して配置されている場合と異なり、上流側ガイド部材の下流側の端部近傍と、下流側ガイド部材の上流側の端部近傍との間に大きい隙間ができるのを抑制することができる。これにより、上流側ガイド部材から下流側に搬送された用紙の先端部が、上流側ガイド部材の下流側の端部近傍と、下流側ガイド部材の上流側の端部近傍との間の隙間に侵入することに起因して紙詰まりが発生するのを容易に抑制することができる。
【００１３】
上記下流側ガイド部材の上流側の端部近傍が上流側ガイド部材の下流側の端部近傍よりも搬送方向に対して外側に配置された用紙搬送装置において、好ましくは、上流側ガイド部材の下流側の端部近傍の下流側ガイド部材側の表面には、下流側ガイド部材の上流側の端部近傍から離れるように傾斜する第１傾斜面が形成されているとともに、下流側ガイド部材の上流側の端部近傍の上流側ガイド部材側の表面には、上流側ガイド部材の下流側の端部近傍から離れるように傾斜する第２傾斜面が形成されている。このように構成すれば、上流側ガイド部材および下流側ガイド部材にそれぞれ第１傾斜面および第２傾斜面を形成することによって、より確実に、下流側ガイド部材の上流側の端部近傍を上流側ガイド部材の下流側の端部近傍よりも搬送方向に対して外側に配置することができる。これにより、用紙の搬送経路を曲面状に湾曲させた場合でも、上流側ガイド部材から下流側に搬送された用紙の先端部が下流側ガイド部材の上流側の端部近傍と接触することに起因して紙詰まりが発生するのをより確実に抑制することができる。
【００１４】
上記一の局面による用紙搬送装置において、好ましくは、用紙に画像を印刷するための印刷部をさらに備え、下流側ローラ対は、用紙の画像が印刷された側とは反対側の面に接触するように配置され、用紙を排出する方向に回転可能な排出ローラと、用紙の画像が印刷された側の面に接触するように配置され、排出ローラに伴って回転する従動ローラとを含み、従動ローラは、用紙に対して直交するように配置され、凹凸形状の外周部を有する薄肉状の円板部材を含むように構成されている。このように構成すれば、外周部に凹凸を有しない厚みの大きい円板部材により従動ローラを構成する場合と異なり、従動ローラと用紙の画像が印刷された側の面との接触面積を小さくすることができるので、用紙の画像が印刷された側の面に従動ローラが擦れて画像の品質が低下するのを抑制することができる。
【発明の効果】
【００１５】
本発明によれば、上記のように、用紙をスムーズに搬送しながら、装置の小型化を図ることができる。
【図面の簡単な説明】
【００１６】
【図１】本発明の一実施形態によるプリンタ部およびスキャナ部を含むインクジェット複合機の構成を示したブロック図である。
【図２】本発明の一実施形態によるプリンタ部の内部構成を示した模式図である。
【図３】本発明の一実施形態によるプリンタ部の排出ローラ対を示した拡大斜視図である。
【図４】本発明の一実施形態によるスキャナ部の内部構成を示した模式図である。
【発明を実施するための形態】
【００１７】
以下、本発明の実施形態を図面に基づいて説明する。
【００１８】
図１〜図４を参照して、本発明の一実施形態によるプリンタ部１００およびスキャナ部２００を含むインクジェット複合機１０００の構成について説明する。なお、プリンタ部１００およびスキャナ部２００は、共に、本発明の「用紙搬送装置」の一例である。
【００１９】
図１に示すように、インクジェット複合機１００は、画像読取機能を有するプリンタ部１００と、画像印刷機能を有するスキャナ部２００とを備える。以下では、まず、図１〜図３を参照して、本発明の一実施形態によるプリンタ部１００の具体的な内部構成について説明する。
【００２０】
図２に示すように、プリンタ部１００は、用紙Ｓに対して画像印刷処理を行うためのインクジェット方式の印刷部１を備える。また、プリンタ部１００は、給紙部１５１の近傍に配置され、用紙Ｓを給紙するための給紙ローラ２と、給紙ローラ２により給紙された用紙Ｓを印刷部１側に搬送するための搬送ローラ対３および４と、排出部１５２の近傍に配置され、印刷後の用紙Ｓを排出するための排出ローラ対５とを備える。また、プリンタ部１００は、印刷部１の前後（印刷部１と搬送ローラ対４との間、および、印刷部１と排出ローラ対５との間）に配置された２つの補助ローラ６および７を備える。これらの給紙ローラ２、搬送ローラ対３、４、排出ローラ対５、補助ローラ６および７は、用紙Ｓの搬送経路がプリンタ部１００の内部（図２の左側の部分）において曲面状（曲線状）に湾曲するとともに折り返された形状（図２の矢印付きの一点鎖線参照）になるように配置されている。
【００２１】
搬送ローラ対３、４および排出ローラ対５は、それぞれ、モータ（図示せず）を動力源として回転駆動する駆動ローラ３ａ、４ａおよび５ａと、駆動ローラ３ａ、４ａおよび５ａの回転に伴ってそれぞれ回転する従動ローラ３ｂ、４ｂおよび５ｂとを含む。なお、駆動ローラ５ａは、本発明の「排出ローラ」の一例である。搬送ローラ対３は、上流側（給紙ローラ２側）から搬送された用紙Ｓを挟持して下流側（搬送ローラ対４側）に搬送するように構成されている。また、搬送ローラ対４は、上流側（搬送ローラ対３側）から搬送された用紙Ｓを挟持して下流側（排出ローラ対５側）に搬送するように構成されている。また、排出ローラ対５は、上流側（搬送ローラ対４側）から搬送された用紙Ｓを挟持して排出するように構成されている。すなわち、搬送ローラ対３は、搬送ローラ対４との関係で、本発明の「上流側ローラ対」の一例であるとともに、搬送ローラ対４は、搬送ローラ対３との関係で、本発明の「下流側ローラ対」の一例である。また、搬送ローラ対４は、排出ローラ対５との関係で、本発明の「上流側ローラ対」の一例であるとともに、排出ローラ対５は、搬送ローラ対４との関係で、本発明の「下流側ローラ対」の一例である。
【００２２】
また、搬送ローラ対３および４の近傍には、それぞれ、用紙Ｓを搬送方向（図２の矢印付きの一点鎖線参照）に沿ってガイドするためのガイド部材８および９がそれぞれ配置されている。また、排出ローラ対５の近傍にも、用紙Ｓを搬送方向（排出方向）に沿ってガイドするためのガイド部１０が配置されている。これらのガイド部材８および９およびガイド部１０は、用紙Ｓの搬送方向に沿って互いに離間するように配置されている。なお、ガイド部材８は、ガイド部材９との関係で、本発明の「上流側ガイド部材」の一例であるとともに、ガイド部材９は、ガイド部材８との関係で、本発明の「下流側ガイド部材」の一例である。また、ガイド部材９は、ガイド部１０との関係で、本発明の「上流側ガイド部材」の一例であるとともに、ガイド部１０は、ガイド部材９との関係で、本発明の「下流側ガイド部材」の一例である。
【００２３】
ガイド部材８は、搬送ローラ対３の従動ローラ３ａ近傍から、用紙Ｓの搬送方向（図２の矢印付きの一点鎖線参照）に沿った方向（図２において左下から右上に向かう方向）に延びるように形成されている。また、ガイド部材９は、搬送ローラ対４の従動ローラ４ａを含むように、従動ローラ４ａを中心として用紙Ｓの搬送方向に沿った方向（図２において左上から右下に向かう方向）に延びるように形成されている。また、ガイド部１０は、プリンタ部１００の上下方向（Ｚ方向）の中央部近傍に配置された中間部材１１（駆動ローラ３ａ、４ａおよび５ａが設けられる部材）における排出ローラ対５の駆動ローラ５ａ近傍の角部１１ａから、用紙Ｓの搬送方向に沿った方向（図２において左下から右上に向かう方向）に突出して延びるように、中間部材１１に一体的に形成されている。
【００２４】
ここで、本実施形態では、ガイド部材８は、用紙Ｓの搬送方向（図２の矢印付きの一点鎖線参照）に沿って延びる搬送ローラ対３の接線ｌ１（図２の太い点線参照）を横切るように配置されている。また、ガイド部材９は、用紙Ｓの搬送方向に沿って延びる搬送ローラ対４の接線ｌ２（図２の太い点線参照）を横切るように配置されている。その一方、ガイド部１０は、用紙Ｓの搬送方向に沿って延びる排出ローラ対５の接線ｌ３（図２の太い点線参照）とは交差しないように配置されている。なお、搬送ローラ対３の接線ｌ１と、搬送ローラ対４の接線ｌ２とは、互いに交差している。
【００２５】
また、本実施形態では、ガイド部材８は、搬送ローラ対３に対して下流側で、かつ、用紙Ｓの搬送方向（図２の矢印付きの一点鎖線参照）に対して外側に配置されている。また、ガイド部材９は、搬送ローラ対４に対して上流側で、かつ、用紙Ｓの搬送方向に対して外側に配置されている。そして、ガイド部材９の上流側の端部９ａ近傍は、ガイド部材８の下流側の端部８ａ近傍よりも、用紙Ｓの搬送方向に対して外側に配置されている。なお、ガイド部１０は、用紙Ｓの搬送方向に対して内側に配置されている。
【００２６】
また、本実施形態では、ガイド部材８の下流側の端部８ａ近傍と、ガイド部材９の上流側の端部９ａ近傍とは、互いにオーバーラップしないように配置されている。すなわち、図２に示すように、ガイド部材８の下流側の端部８ａ近傍を通って上下方向（Ｚ方向）に延びる細い点線の直線ｌ４と、ガイド部材９の上流側の端部９ａ近傍を通って上下方向に延びる細い点線の直線ｌ５とは、水平方向（Ｘ方向）に所定の間隔Ｄ１を隔てて離間するように構成されている。なお、ガイド部材８の下流側の端部８ａ近傍と、ガイド部材９の上流側の端部９ａ近傍とは、互いに近傍の位置で離間するように配置されている。
【００２７】
また、本実施形態では、ガイド部材８の下流側の端部８ａ近傍のガイド部材９側の表面には、ガイド部材９の上流側の端部９ａ近傍から離れるように傾斜する傾斜面８ｂが形成されている。また、ガイド部材９の上流側の端部９ａ近傍のガイド部材８側の表面には、ガイド部材８の下流側の端部８ａ近傍から離れるように傾斜する傾斜面９ｂが形成されている。なお、傾斜面８ｂおよび９ｂは、それぞれ、本発明の「第１傾斜面」および「第２傾斜面」の一例である。
【００２８】
なお、本実施形態では、図２および図３に示すように、用紙Ｓの画像が印刷された側とは反対側の裏面Ｓ１（図２参照）に接触するように配置される排出ローラ対５の駆動ローラ５ａは、用紙Ｓの裏面Ｓ１と面接触する側面を有する円柱部材５０ａ（図３参照）を含むように構成されている。また、用紙Ｓの画像が印刷された側の表面Ｓ２（図２参照）に接触するように配置される排出ローラ対５の従動ローラ５ｂは、用紙Ｓに対して直交するように配置され、先端が尖った凹凸形状の外周部を有する薄肉状の２枚の円板部材５０ｂ（図３参照）を含むように構成されている。
【００２９】
図３に示すように、駆動ローラ５ａに含まれる円柱部材５０ａは、用紙Ｓの排出方向と直交する方向（Ｙ方向）に延びるように形成されている。また、従動ローラ５ｂに含まれる２枚の円板部材５０ｂは、Ｙ方向に間隔Ｄ２を隔てて離間するように配置されている。なお、従動ローラ５ｂに含まれる２枚の円板部材５０ｂのＹ方向の間隔Ｄ２は、駆動ローラ５ａに含まれる円柱部材５０ａのＹ方向の長さＬよりも小さい。また、図２に示すように、印刷部１と排出ローラ対５との間に配置される補助ローラ７も、排出ローラ対５の従動ローラ５ｂと同様に、先端が尖った凹凸形状の外周部を有する。
【００３０】
次に、図４を参照して、本発明の一実施形態によるスキャナ部２００の具体的な内部構成について説明する。
【００３１】
図４に示すように、スキャナ部２００は、用紙Ｓに対して画像読取処理を行うための読取部２１を備える。また、スキャナ部２００は、給紙部２５１の近傍に配置され、用紙Ｓを給紙するための給紙ローラ２２と、給紙ローラ２２により給紙された用紙Ｓを読取部１側に搬送するための搬送ローラ対２３および２４と、排出部２５２の近傍に配置され、読取後の用紙Ｓを排出するための排出ローラ対２５とを備える。これらの給紙ローラ２２、搬送ローラ対２３、２４および排出ローラ対２５は、用紙Ｓの搬送経路がスキャナ部２００の内部（図４の左側の部分）において曲面状（曲線状）に湾曲するとともに折り返された形状（図４の矢印付きの二点鎖線参照）になるように配置されている。
【００３２】
搬送ローラ対２３、２４および排出ローラ対２５は、それぞれ、モータ（図示せず）を動力源として回転駆動する駆動ローラ２３ａ、２４ａおよび２５ａと、駆動ローラ２３ａ、２４ａおよび２５ａの回転に伴ってそれぞれ回転する従動ローラ２３ｂ、２４ｂおよび２５ｂとを含む。搬送ローラ対２３は、上流側（給紙ローラ２２側）から搬送された用紙Ｓを挟持して下流側（搬送ローラ対２４側）に搬送するように構成されている。また、搬送ローラ対２４は、上流側（搬送ローラ対２３側）から搬送された用紙Ｓを挟持して下流側（排出ローラ対２５側）に搬送するように構成されている。また、排出ローラ対２５は、上流側（搬送ローラ対２４側）から搬送された用紙Ｓを挟持して排出するように構成されている。すなわち、搬送ローラ対２３は、搬送ローラ対２４との関係で、本発明の「上流側ローラ対」の一例であるとともに、搬送ローラ対２４は、搬送ローラ対２３との関係で、本発明の「下流側ローラ対」の一例である。また、搬送ローラ対２４は、排出ローラ対２５との関係で、本発明の「上流側ローラ対」の一例であるとともに、排出ローラ対２５は、搬送ローラ対２４との関係で、本発明の「下流側ローラ対」の一例である。
【００３３】
また、搬送ローラ対２３および２４の近傍には、それぞれ、用紙Ｓを搬送方向（図４の矢印付きの二点鎖線参照）に沿ってガイドするためのガイド部材２６および２７がそれぞれ配置されている。また、排出ローラ対２５の近傍にも、用紙Ｓを搬送方向（排出方向）に沿ってガイドするためのガイド部材２８が配置されている。これらのガイド部材２６、２７および２８は、用紙Ｓの搬送方向に沿って互いに離間するように配置されている。なお、ガイド部材２６は、ガイド部材２７との関係で、本発明の「上流側ガイド部材」の一例であるとともに、ガイド部材２７は、ガイド部材２６との関係で、本発明の「下流側ガイド部材」の一例である。また、ガイド部材２７は、ガイド部材２８との関係で、本発明の「上流側ガイド部材」の一例であるとともに、ガイド部材２８は、ガイド部材２７との関係で、本発明の「下流側ガイド部材」の一例である。
【００３４】
ガイド部材２６および２７は、共に、スキャナ部２００の上下方向（Ｚ方向）の中央部近傍に配置される中間部材２９（駆動ローラ２３ａ、２４ａおよび２５ａが設けられる部材）と対向するように配置されている。また、ガイド部材２６は、中間部材２９の駆動ローラ２３ａ近傍の外表面と対向するように、用紙Ｓの搬送方向（図４の矢印付きの二点鎖線参照）に沿った方向（図４において右上から左下に向かう方向）に延びる部分２６ａを有するように形成されている。また、ガイド部材２７は、中間部材２９の駆動ローラ２４ａ近傍の外表面と対向するように、用紙Ｓの搬送方向に沿った方向（図４において右下から左上に向かう方向）に延びる部分２７ａを有するように形成されている。なお、ガイド部材２８は、従動ローラ２５ｂが設けられるベース部材３０（排出部２５２の下側に配置された部材）と対向するように配置されている。また、ガイド部材２８は、中間部材２９の駆動ローラ２５ａ近傍の外表面上において、用紙Ｓの搬送方向に沿った方向（図４において左下から右上に向かう方向）に延びるように形成されている。
【００３５】
ここで、本実施形態では、ガイド部材２６は、用紙Ｓの搬送方向（図４の矢印付きの二点鎖線参照）に沿って延びる搬送ローラ対２３の接線ｌ６（図４の太い点線参照）を横切るように配置されている。また、ガイド部材２７は、用紙Ｓの搬送方向に沿って延びる搬送ローラ対２４の接線ｌ７（図４の太い点線参照）を横切るように配置されている。また、ガイド部材２８は、用紙Ｓの搬送方向に沿って延びる排出ローラ対２５の接線ｌ８（図４の太い点線参照）を横切るように配置されている。
【００３６】
また、本実施形態では、ガイド部材２６および２７は、共に、用紙Ｓの搬送方向（図４の矢印付きの二点鎖線参照）に対して外側に配置されている。そして、ガイド部材２７の上流側の端部２７ａ近傍は、ガイド部材２６の下流側の端部２６ａ近傍よりも、用紙Ｓの搬送方向に対して外側に配置されている。なお、ガイド部材２８は、用紙Ｓの搬送方向に対して内側に配置されている。
【００３７】
また、本実施形態では、ガイド部材２６の下流側の端部２６ａ近傍と、ガイド部材２７の上流側の端部２７ａ近傍とは、互いにオーバーラップしないように配置されている。すなわち、図４に示すように、ガイド部材２６の下流側の端部２６ａ近傍を通って水平方向（Ｘ方向）に延びる細い点線の直線ｌ９と、ガイド部材２７の上流側の端部２７ａ近傍を通ってＸ方向に延びる細い点線の直線ｌ１０とは、上下方向（Ｚ方向）に所定の間隔Ｄ３を隔てて離間するように構成されている。なお、ガイド部材２６の下流側の端部２６ａ近傍と、ガイド部材２７の上流側の端部２７ａ近傍とは、互いに近傍の位置で離間するように配置されている。
【００３８】
本実施形態では、上記のように、プリンタ部１００のガイド部材８および９を、それぞれ、プリンタ部１００の搬送ローラ対３の接線ｌ１および搬送ローラ対４の接線ｌ２（図２の太い点線参照）を横切るように配置する。また、スキャナ部２００のガイド部材２６、２７および２８を、それぞれ、スキャナ部２００の搬送ローラ対２３の接線ｌ６、搬送ローラ対２４の接線ｌ７および排出ローラ対２５の接線ｌ８（図４の太い点線参照）を横切るように配置する。これにより、上記接線ｌ１、ｌ２、ｌ６、ｌ７およびｌ８をそれぞれ横切るように配置されたガイド部材８、９、２７、２８および２９によって、容易に、プリンタ部１００における用紙Ｓの搬送経路（図２の矢印付きの一点鎖線）およびスキャナ部２００における用紙Ｓの搬送経路（図４の矢印付きの二点鎖線参照）を曲面状（曲線状）に湾曲させることができる。その結果、用紙Ｓの搬送経路が複数の直線状に延びる搬送経路により構成される場合と異なり、曲面状の搬送経路に沿って用紙Ｓをスムーズに搬送しながら、用紙Ｓの搬送経路を折り返すことによりプリンタ部１００およびスキャナ部２００を備えたインクジェット複合機１０００の小型化を図ることができる。
【００３９】
また、プリンタ部１００のガイド部材８および９（スキャナ部２００のガイド部材２６および２７）を互いに離間するように配置することによって、ガイド部材８（２６）の下流側の端部８ａ（２６ａ）近傍と、ガイド部材９（２７）の上流側の端部９ａ（２７ａ）近傍とが互いに接触する場合と異なり、ガイド部材８（２６）の下流側の端部８ａ（２６ａ）およびガイド部材９（２７）の上流側の端部９ａ（２７ａ）を、それぞれ、ガイド部材９（２７）およびガイド部材８（２６）と接触する位置まで長く延ばす必要がないので、ガイド部材８（２６）およびガイド部材９（２７）のそれぞれの長さを短くすることができ、これによっても、プリンタ部１００およびスキャナ部２００を備えたインクジェット複合機１０００の小型化を図ることができる。
【００４０】
また、本実施形態では、上記のように、プリンタ部１００のガイド部材９の上流側の端部９ａ近傍（スキャナ部２００のガイド部材２７の上流側の端部２７ａ近傍）を、ガイド部材８の下流側の端部８ａ近傍（ガイド部材２６の下流側の端部２６ａ近傍）よりも外側に配置する。これにより、ガイド部材９（２７）の上流側の端部９ａ（２７ａ）近傍が、ガイド部材８（２６）の下流側の端部８ａ（２６ａ）近傍よりも内側に配置されている場合と異なり、ガイド部材８（２６）から下流側に搬送された用紙Ｓの先端部がガイド部材９（２７）の上流側の端部９ａ（２７ａ）近傍と接触することに起因して、用紙Ｓが本来の搬送方向から逸れた方向に進むのを抑制することができる。その結果、用紙Ｓの搬送経路を曲面状に湾曲させた場合でも、紙詰まりが発生するのを抑制することができる。
【００４１】
また、本実施形態では、上記のように、プリンタ部１００のガイド部材８の下流側の端部８ａ近傍（スキャナ部２００のガイド部材２６の下流側の端部２６ａ近傍）と、ガイド部材９の上流側の端部９ａ近傍（ガイド部材２７の上流側の端部２７ａ近傍）とを、互いにオーバーラップしないように配置する。これにより、確実に、ガイド部材９（２７）の上流側の端部９ａ（２７ａ）近傍を、ガイド部材８（２６）の下流側の端部８ａ（２６ａ）近傍よりも外側に配置することができるので、用紙Ｓの搬送経路を曲面状に湾曲させた場合でも、ガイド部材８（２６）から下流側に搬送された用紙Ｓの先端部がガイド部材９（２７）の上流側の端部９ａ（２７ａ）近傍と接触することに起因して紙詰まりが発生するのを確実に抑制することができる。
【００４２】
また、本実施形態では、上記のように、プリンタ部１００のガイド部材８の下流側の端部８ａ近傍（スキャナ部２００のガイド部材２６の下流側の端部２６ａ近傍）と、ガイド部材９の上流側の端部９ａ近傍（ガイド部材２７の上流側の端部２７ａ近傍）とを、互いにオーバーラップしないように、互いに近傍の位置で離間させて配置する。これにより、ガイド部材８（２６）の下流側の端部８ａ（２６ａ）近傍と、ガイド部材９（２７）の上流側の端部９ａ（２７ａ）近傍とが大きく離間して配置されている場合と異なり、ガイド部材８（２６）の下流側の端部８ａ（２６ａ）近傍と、ガイド部材９（２７）の上流側の端部９ａ（２７ａ）近傍との間に大きい隙間ができるのを抑制することができる。その結果、ガイド部材８（２６）から下流側に搬送された用紙Ｓの先端部が、ガイド部材８（２６）の下流側の端部８ａ（２６ａ）近傍と、ガイド部材９（２７）の上流側の端部９ａ（２７ａ）近傍との間の隙間に侵入することに起因して紙詰まりが発生するのを容易に抑制することができる。
【００４３】
また、本実施形態では、上記のように、ガイド部材８の下流側の端部８ａ近傍のガイド部材９側の表面に、ガイド部材９の上流側の端部９ａ近傍から離れるように傾斜する傾斜面８ｂを形成するとともに、ガイド部材９の上流側の端部９ａ近傍のガイド部材８側の表面に、ガイド部材８の下流側の端部８ａ近傍から離れるように傾斜する傾斜面９ｂを形成する。これにより、ガイド部材８および９にそれぞれ傾斜面８ｂおよび９ｂを形成することによって、より確実に、ガイド部材９の上流側の端部９ａ近傍をガイド部材８の下流側の端部８ａ近傍よりも外側に配置することができる。その結果、用紙Ｓの搬送経路を曲面状に湾曲させた場合でも、ガイド部材８から下流側に搬送された用紙Ｓの先端部がガイド部材９の上流側の端部９ａ近傍と接触することに起因して紙詰まりが発生するのをより確実に抑制することができる。
【００４４】
また、本実施形態では、上記のように、用紙Ｓの画像が印刷された側の表面Ｓ２（図２参照）に接触するように配置される排出ローラ対５の従動ローラ５ｂを、先端が尖った凹凸形状の外周部を有する薄肉状の円板部材５０ｂ（図３参照）を含むように構成する。これにより、外周部に凹凸を有しない厚みの大きい円板部材により従動ローラ５ｂを構成する場合と異なり、従動ローラ５ｂと用紙Ｓの画像が印刷された側の表面Ｓ２との接触面積を小さくすることができるので、用紙Ｓの画像が印刷された側の表面Ｓ２に従動ローラ５が擦れて画像の品質が低下するのを抑制することができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、本発明の用紙搬送装置の一例として、インクジェット複合機に含まれるプリンタ部およびスキャナ部を示したが、本発明はこれに限らない。本発明は、複合機に含まれない単体で動作するスキャナ装置およびプリンタ装置などの一般的な用紙搬送装置にも適用可能である。
【００４７】
また、上記実施形態では、ガイド部材８および９をそれぞれ搬送ローラ対３の接線ｌ１および搬送ローラ対４の接線ｌ２（図２の太い点線参照）を横切るように配置する一方で、ガイド部１０を排出ローラ対５の接線ｌ３（図２の太い点線参照）とは交差しないように配置したプリンタ部１００を示したが、本発明はこれに限らない。本発明では、ガイド部材８、９およびガイド部１０の全てをそれぞれ接線ｌ１、ｌ２およびｌ３を横切るように配置してもよい。また、本発明では、ガイド部材８のみを接線ｌ１を横切るように配置して、ガイド部材９およびガイド部１０をそれぞれ接線ｌ２およびｌ３とは交差しないように配置してもよい。
【００４８】
同様に、上記実施形態では、ガイド部材２６、２７および２８を、それぞれ、搬送ローラ対２３の接線ｌ６、搬送ローラ対２４の接線ｌ７、および、排出ローラ対２５の接線ｌ８（図４の太い点線参照）を横切るように配置したスキャナ部２００を示したが、本発明はこれに限らない。本発明では、ガイド部材２６のみを接線ｌ６を横切るように配置して、ガイド部材２７および２８をそれぞれ接線ｌ７およびｌ８とは交差しないように配置してもよい。
【００４９】
また、上記実施形態では、ガイド部材９の上流側の端部９ａ近傍を、ガイド部材８の下流側の端部８ａ近傍よりも用紙Ｓの搬送方向（図２の矢印付きの一点鎖線参照）に対して外側に配置したプリンタ部１００を示したが、本発明はこれに限らない。本発明では、ガイド部材８の下流側の端部８ａ近傍と、ガイド部材９の上流側の端部９ａ近傍とを、用紙Ｓの搬送方向に対して同じ位置に配置してもよい。
【００５０】
同様に、上記実施形態では、ガイド部材２７の上流側の端部２７ａ近傍を、ガイド部材２６の下流側の端部２６ａ近傍よりも用紙Ｓの搬送方向（図４の矢印付きの二点鎖線参照）に対して外側に配置したスキャナ部２００を示したが、本発明はこれに限らない。本発明では、ガイド部材２６の下流側の端部２６ａ近傍と、ガイド部材２７の上流側の端部２７ａ近傍とを、用紙Ｓの搬送方向に対して同じ位置に配置してもよい。
【００５１】
また、上記実施形態では、ガイド部材８の下流側の端部８ａ近傍と、ガイド部材９の上流側の端部９ａ近傍とを互いにオーバーラップしないように配置したプリンタ部１００を示したが、本発明はこれに限らない。本発明では、ガイド部材８の下流側の端部８ａ近傍と、ガイド部材９の上流側の端部９ａ近傍とを互いにオーバーラップするように配置してもよい。
【００５２】
同様に、上記実施形態では、ガイド部材２６の下流側の端部２６ａ近傍と、ガイド部材２７の上流側の端部２７ａ近傍とを互いにオーバーラップしないように配置したスキャナ部２００を示したが、本発明はこれに限らない。本発明では、ガイド部材２６の下流側の端部２６ａ近傍と、ガイド部材２７の上流側の端部２７ａ近傍とを互いにオーバーラップするように配置してもよい。
【符号の説明】
【００５３】
１  印刷部
３、４、２３、２４  搬送ローラ対（上流側ローラ対、下流側ローラ対）
５、２５  排出ローラ対（下流側ローラ対）
５ａ  駆動ローラ（排出ローラ）
５ｂ  従動ローラ
５０ｂ  円板部材
８、９、２６、２７  ガイド部材（上流側ガイド部材、下流側ガイド部材）
８ｂ  傾斜面（第１傾斜面）
９ｂ  傾斜面（第２傾斜面）
１０  ガイド部（下流側ガイド部材）
２８  ガイド部材（下流側ガイド部材）
１００  プリンタ部（用紙搬送装置）
２００  スキャナ部（用紙搬送装置）
Ｓ  用紙
【図１】
2014201369.tif 000003
【図２】
2014201369.tif 000004
【図３】
2014201369.tif 000005
【図４】
2014201369.tif 000006